【手続補正書】
【提出日】平成20年2月14日(2008.2.14)
【手続補正１】
【補正対象書類名】明細書
【補正対象項目名】特許請求の範囲
【補正方法】変更
【補正の内容】
【特許請求の範囲】    【請求項１】  エアーバックドア部とトリム部材部とを有するエアーバックドアシステムであって、該システムは、  基板上部面、基板下部面、基板厚、及び機械的強度が弱い基板ラインからなる基板であって、前記機械的強度が弱い基板ラインは、前記基板を、エアーバックドア基板部とトリム部材基板部とに少なくとも分離する少なくとも一つの基板開口を有する基板と、  外部シェル上部面、外部シェル下部面、外部シェル厚、及び機械的強度が弱い外部シェルラインからなる外部シェルであって、前記機械的強度が弱い外部シェルラインが、前記外部シェル下部面から前記外部シェル上部面に向かって、前記外部シェル厚を部分的に通って延びる外部シェル切込部によって画定される外部シェル薄化部分からなり、前記機械的強度が弱い外部シェルラインが、前記外部シェルを、エアーバックドア外部シェル部分とトリム部材外部シェル部分とに少なくとも部分的に分離するようになった外部シェルと、  前記基板と前記外部シェルとの間に配置され、発泡体上部面、発泡体下部面、発泡体厚、及び機械的強度が弱い発泡体ラインからなる発泡体であって、前記機械的強度が弱い発泡体ラインが、前記発泡体下部面から前記発泡体上部面に向かって、前記発泡体厚を部分的に通って延びる発泡体切込部によって画定される発泡体薄化部分からなり、前記機械的強度が弱い発泡体ラインが、前記発泡体を、エアーバックドア発泡体部分とトリム部材発泡体部分とに少なくとも部分的に分離するようになった発泡体と、からなり、  前記機械的強度が弱い外部シェルラインは、前記機械的強度が弱い発泡体ライン又は前記機械的強度が弱い基板ラインに対して、少なくとも３．０ｍｍだけ少なくとも部分的に水平方向にずれていることを特徴とするエアーバックドアシステム。    【請求項２】  請求項１に記載のシステムにおいて、前記外部シェル切込部は第１及び第２外部シェル切込面を有し、前記外部シェル切込部は、前記発泡体が前記第１又は前記第２外部シェル切込面の何れか一方の面の少なくとも一部に直接接触しないように十分に狭いことを特徴とするエアーバックドアシステム。    【請求項３】  請求項１に記載のシステムにおいて、前記外部シェル切込部は、  （１）前記外部シェル切込部が複数の穴を有する；  （２）前記外部シェル切込部が複数の目隠穴を有する；  （３）前記外部シェル切込部が複数のスロットを有する；のうちの１つ又はそれ以上の特徴を有することを特徴とするエアーバックドアシステム。    【請求項４】  請求項１に記載のシステムにおいて、前記発泡体切込部は、その切込深さが、前記発泡体厚さの１２．５％〜９６．７％の間であることを特徴とするエアーバックドアシステム。    【請求項５】  請求項１に記載のシステムにおいて、前記エアーバッグドア基板部と前記トリム部材基板部は、少なくとも１つの基板ブリッジによって連結されていることを特徴とするエアーバックドアシステム。    【請求項６】  請求項５に記載のシステムにおいて、前記基板ブリッジは、  （１）その幅が前記基板の開口幅と同等又はそれ以上である；  （２）その長さが１０．０ｍｍよりも長くない；のうちの１つ又はそれ以上の特徴を有することを特徴とするエアーバックドアシステム。    【請求項７】  請求項１に記載のシステムであって、該システムは補強部材上部面、補強部材下部面、補強部材厚、及び機械的強度が弱い補強部材ラインとからなる補強部材を有し、前記機械的強度が弱い補強部材ラインが、前記補強部材を、エアーバッグドア補強部材部とトリム部材補強部材部とに少なくとも部分的に分離する少なくとも１つの補強部材開口を有することを特徴とするエアーバックドアシステム。    【請求項８】  請求項７に記載のシステムにおいて、前記補強部材は、  （１）前記補強部材開口の少なくとも一部と、前記基板開口の少なくとも一部は重なり合う；  （２）前記トリム部材補強部材部の少なくとも一部が、前記基板開口近傍の前記トリム部材基板部の端部にかけて、前記トリム部材基板部の少なくとも一部分と重なり合う；  （３）前記トリム部材補強部材部がリングを有する；  （４）前記トリム部材補強部材部が閉鎖状のリングを有する；  （５）前記補強部材下部面の少なくとも一部分と前記基板上部面がテープによって分離されている；  （６）前記補強部材下部面の少なくとも一部分と前記基板上部面がポリマーフィルムによって分離されている；  （７）前記補強部材下部面の少なくとも一部分が前記基板上部面と接着接合されている；のうちの１つ又はそれ以上の特徴を有することを特徴とするエアーバックドアシステム。    【請求項９】  エアーバックドア部とトリム部材部とを有するエアーバックドアシステムであって、該システムは、  基板上部面、基板下部面、基板厚、及び機械的強度が弱い基板ラインからなる基板であって、前記機械的強度が弱い基板ラインは、前記基板を、エアーバックドア基板部とトリム部材基板部とに少なくとも分離する少なくとも一つの基板開口を有する基板と、  外部シェル上部面、外部シェル下部面、外部シェル厚、及び機械的強度が弱い外部シェルラインからなる外部シェルであって、前記機械的強度が弱い外部シェルラインが、前記外部シェル下部面から前記外部シェル上部面に向かって、前記外部シェル厚を部分的に通って延びる外部シェル切込部によって画定される外部シェル薄化部分からなり、前記機械的強度が弱い外部シェルラインが、前記外部シェルを、エアーバックドア外部シェル部分とトリム部材外部シェル部分とに少なくとも部分的に分離するようになった外部シェルと、  前記基板と前記外部シェルとの間に配置され、発泡体上部面、発泡体下部面、発泡体厚、及び機械的強度が弱い発泡体ラインからなる発泡体であって、前記機械的強度が弱い発泡体ラインが、前記発泡体下部面から前記発泡体上部面に向かって、前記発泡体厚を部分的に通って延びる発泡体切込部によって画定される発泡体薄化部分からなり、前記機械的強度が弱い発泡体ラインが、前記発泡体を、エアーバックドア発泡体部分とトリム部材発泡体部分とに少なくとも部分的に分離するようになった発泡体と、からなり、  前記外部シェル下部面に位置する前記外部シェル切込部は、前記発泡体上部面に直接には接していないことを特徴とするエアーバックドアシステム。    【請求項１０】  請求項９に記載のシステムにおいて、前記外部シェル切込部は第１及び第２外部シェル切込面を有し、前記外部シェル切込部は、前記発泡体��形成された後、前記第１及び前記第２外部シェル切込面の少なくとも一部が互いに直接接触するように十分に狭いことを特徴とするエアーバックドアシステム。    【請求項１１】  請求項９に記載のシステムにおいて、前記外部シェル切込部は第１及び第２外部シェル切込面を有し、前記外部シェル切込部は、前記発泡体が前記第１又は前記第２外部シェル切込面の何れか一方の面の少なくとも一部に直接接触しないように十分に狭いことを特徴とするエアーバックドアシステム。    【請求項１２】  請求項９に記載のシステムにおいて、不連続な前記外部シェルは、  （１）前記外部シェル切込部が複数の穴を有する；  （２）前記外部シェル切込部が複数の貫通穴を有する；  （３）前記不連続外部シェル切込部が複数の目隠し穴を有する；のうちの１つ又はそれ以上の特徴を有することを特徴とするエアーバックドアシステム。    【請求項１３】  請求項９に記載のシステムにおいて、前記発泡体切込部は、  （１）連続状である；  （２）不連続である；  （３）前記不連続発泡体切込部は複数のスロットを有する；  （４）前記発泡体切込部は、その切込深さが前記発泡体厚の１２．５％〜９６．７％の間である；のうちの１つ又はそれ以上の特徴を有することを特徴とするエアーバックドアシステム。    【請求項１４】  請求項９に記載のシステムにおいて、前記エアーバッグドア基板部と前記トリム部材基板部は、少なくとも１つの基板ブリッジによって連結されていることを特徴とするエアーバックドアシステム。    【請求項１５】  請求項９に記載のシステムにおいて、該システムは補強部材上部面、補強部材下部面、補強部材厚、及び機械的強度が弱い補強部材ラインとからなる補強部材を有し、前記機械的強度が弱い補強部材ラインが、前記補強部材を、エアーバッグドア補強部材部とトリム部材補強部材部とに少なくとも部分的に分離する少なくとも１つの補強部材開口を有することを特徴とするエアーバックドアシステム。    【請求項１６】  請求項１５に記載のシステムにおいて、前記補強部材は、  （１）前記補強部材開口の少なくとも一部と、前記基板開口の少なくとも一部は重なり合う；  （２）前記トリム部材補強部材部の少なくとも一部が、前記基板開口近傍の前記トリム部材基板部の端部にかけて、前記トリム部材基板部の少なくとも一部分と重なり合う；  （３）前記トリム部材補強部材部がリングを有する；  （４）前記トリム部材補強部材部が閉鎖状のリングを有する；  （５）前記補強部材下部面の少なくとも一部分と前記基板上部面がテープによって分離されている；  （６）前記補強部材下部面の少なくとも一部分と前記基板上部面がポリマーフィルムによって分離されている；のうちの１つ又はそれ以上の特徴を有することを特徴とするエアーバックドアシステム。【手続補正２】
【補正対象書類名】明細書
【補正対象項目名】００１８
【補正方法】変更
【補正の内容】
【００１８】  図２及び図１１に示す通り、開口３６は、基板１７，２７の上部面１８，２８及び下部面２９，２９に対して垂直に形成されることが好ましい。しかしながら、図１６に示す通り、開口３６は、基板３６の隣接面１８，２８，１９，２９の何れか又は全てに対して、垂直以外の角度をもって形成されても構わない。面１８，２８，１９，２９に対して開口３６を直角又は直角以外の角度で形成するかの決定に関しては、角度は、基板の隣接する開口３６に対して測定されることが好ましい。